(57)【要約】      （修正有）【課題】使用の安全性、快適性および変化性を増加することができる揺動式健康機を提供する。【解決手段】ベースフレームと、マスク状円盤３０と、筐状チューブ３４と、二つのカンチレバー４０とを含み、ベースフレームは、その底部に前脚１１と後脚１２とが設けられ、前脚と後脚によりベースフレームがある高さにサポートされ、ベースフレームの前には、二つのハンドル２１，２２と連接する部材が設けられ、筐状チューブは、マスク状円盤を囲み、マスク状円盤と筐状チューブがベースフレームをカバーし、筐状チューブがベースフレームの上面に直接に固定され、二つのカンチレバーは、その枢着端がそれぞれ二つの突出柱３２，３３に枢着され、その自由端に受け台６１が結合され、受け台の底面に長形ローラ６３，６４が設けられ、長形ローラが筐状チューブに当接し、筐状チューブの末端に近接する箇所でストッパー３４１，３４２が二つ設けられる。【選択図】図１
0003161917.tif 000002
【実用新案登録請求の範囲】
【請求項１】
ベースフレームと、マスク状円盤と、筐状チューブと、二つのカンチレバーと、を含み、
前記ベースフレームは、その底部に前脚と後脚とが設けられ、前記前脚と前記後脚により前記ベースフレームがある高さにサポートされ、前記ベースフレームの前には、二つのハンドルと連接する部材が設けられ、
前記筐状チューブは、前記マスク状円盤を囲み、前記マスク状円盤と前記筐状チューブが前記ベースフレームをカバーし、前記筐状チューブが前記ベースフレームの上面に直接に固定され、前記マスク状円盤の中央に保護マスクが設けられ、前記保護マスクに突出柱が二つ設けられ、
二つの前記カンチレバーは、その枢着端がそれぞれ二つの前記突出柱に枢着され、その自由端に受け台が結合され、前記受け台の底面に長形ローラが設けられ、前記長形ローラが前記筐状チューブに当接し、前記筐状チューブの末端に近接する箇所でストッパーが二つ設けられ、二つの前記カンチレバーの前記自由端にラグがそれぞれ設けられ、前記ラグには、一つの貫通孔と、一つの連結具と、がそれぞれ設けられ、前記連結具が二つの前記貫通孔を連結し、これにより、二つの前記受け台が結合され、装置全体が揺動式健康機になり、なお、前記連結具を取外すと、装置全体が膝健康機になることを特徴とする揺動式健康機。
【請求項２】
前記部材により、二つの前記ハンドルの長さを調整することができ、二つの前記ハンドルを固定することもでき、前記部材に電子カウンターを固定することができることを特徴とする、請求項１に記載の揺動式健康機。
【請求項３】
前記筐状チューブに前記ストッパーが結合され、前記筐状チューブにねじ穴が設けられ、前記ストッパーにネジが設けられ、前記筐状チューブに前記ストッパーを螺着することができることを特徴とする、請求項１に記載の揺動式健康機。
【考案の詳細な説明】
【技術分野】
【０００１】
本考案は、健康機に関し、特に、跪きタイプの揺動式健康機に関するものである。
【背景技術】
【０００２】
健康機の種類が極めて多く、揺動式健康機のタイプも多いが、現在、消費者が製品の変化性、安全性および快適性を問うため、従来の健康機は消費者の要求に満足することができなくなる。例えば従来の揺動式健康機は、受け台を有するが、受け台と連接するのは一つのカンチレバーだけであり、使用の安全性が低く、且つカンチレバーが旋回しているときにユーザの身体が揺れるため、身体の重量が変化し続け、カンチレバーが上下に揺れ、これにより、使用の快適性が降下し、そしてユーザの身体を揺動する用途に利用することだけが可能であるため、使用の変化性が少ない。
【０００３】
図５を参照する。図５は本願の出願者から提案した「揺動式健康機」である。上記の揺動式健康機は、ベースフレーム１を有し、ベースフレーム１には、前揺動構造２と、後揺動構造３と、が設けられ、前揺動構造２は、更に、手摺枠４を含み、後揺動構造３は、更に、受け台５を含む。このような揺動式健康機によれば、アームと太ももとを鍛錬することができる。
【考案の概要】
【考案が解決しようとする課題】
【０００４】
しかしながら、上記の揺動式健康機によれば、揺動式健康機が受け台を有するが、受け台と連接するのは一つのカンチレバーだけであり、使用の安全性が低く、且つカンチレバーが旋回しているときにユーザの身体が揺れるため、身体の重量が変化し続け、カンチレバーが上下に揺れ、これにより、使用の快適性が降下し、そしてユーザの身体を揺動する用途に利用することだけが可能であるため、使用の変化性が少ない問題があった。
【０００５】
本考案の主な目的は、使用の安全性、快適性および変化性を増加することができる揺動式健康機を提供することにある。
【課題を解決するための手段】
【０００６】
本考案の揺動式健康機によると、ベースフレームと、マスク状円盤と、筐状チューブと、二つのカンチレバーと、を含み、
前記ベースフレームは、その底部に前脚と後脚とが設けられ、前記前脚と前記後脚により前記ベースフレームがある高さにサポートされ、前記ベースフレームの前には、二つのハンドルと連接する部材が設けられ、
前記筐状チューブは、前記マスク状円盤を囲み、前記マスク状円盤と前記筐状チューブが前記ベースフレームをカバーし、前記筐状チューブが前記ベースフレームの上面に直接に固定され、前記マスク状円盤の中央に保護マスクが設けられ、前記保護マスクに突出柱が二つ設けられ、
二つの前記カンチレバーは、その枢着端がそれぞれ二つの前記突出柱に枢着され、その自由端に受け台が結合され、前記受け台の底面に長形ローラが設けられ、前記長形ローラが前記筐状チューブに当接し、前記筐状チューブの末端に近接する箇所でストッパーが二つ設けられ、二つの前記カンチレバーの前記自由端にラグがそれぞれ設けられ、前記ラグには、一つの貫通孔と、一つの連結具と、がそれぞれ設けられ、前記連結具が二つの前記貫通孔を連結し、これにより、二つの前記受け台が結合され、装置全体が揺動式健康機になり、なお、前記連結具を取外すと、装置全体が膝健康機になることを特徴とする。
【０００７】
本考案の揺動式健康機によると、前記部材により、二つの前記ハンドルの長さを調整することができ、二つの前記ハンドルを固定することもでき、前記部材に電子カウンターを固定することができることを特徴とする。
【０００８】
本考案の揺動式健康機によると、前記筐状チューブに前記ストッパーが結合され、前記筐状チューブにねじ穴が設けられ、前記ストッパーにネジが設けられ、前記筐状チューブに前記ストッパーを螺着することができることを特徴とする。
【考案の効果】
【０００９】
本考案の揺動式健康機によれば、使用の安全性、快適性および変化性を増加することができるという効果を有する。
【図面の簡単な説明】
【００１０】
【図１】本考案の実施例の分解斜視図である。
【図２】本考案の実施例の組合済み状態の斜視図である。
【図３】本考案の使用状態を示す模式図である。
【図４】本考案の別の使用状態を示す模式図である。
【図５】従来の揺動式健康機の組合済み状態の斜視図である。
【考案を実施するための形態】
【００１１】
以下、本考案の実施の形態を図面に基づいて説明する。
まず、図１乃至図４を参照する。本考案の揺動式健康機は、ベースフレーム１０と、マスク状円盤３０と、筐状チューブと３４、二つのカンチレバー４０、５０と、を含む。
【００１２】
ベースフレーム１０は、その底部に前脚１１と後脚１２とが設けられ、前記前脚１１と前記後脚１２によりベースフレーム１０がある高さにサポートされる。ベースフレーム１０の前には、二つのハンドル２１、２２と連接する部材１３が設けられ、部材１３により、二つのハンドル２１、２２の長さを調整することができ、二つのハンドル２１、２２を固定することもできる。
【００１３】
マスク状円盤３０は、ベースフレーム１０の上面の筐状チューブ３４以外の部分をカバーし、マスク状円盤３０の中央に保護マスク３１が設けられ、保護マスク３１に突出柱３２、３３が設けられる。
【００１４】
筐状チューブ３４は、マスク状円盤３０を囲み、筐状チューブ３４がベースフレーム１０の上面に直接に固定され、筐状チューブ３４の末端に近接する箇所でストッパー３４１、３４２が設けられる。
【００１５】
二つのカンチレバー４０、５０は、その枢着端がそれぞれ二つの突出柱３２、３３に枢着され、その自由端に受け台６１、６２が結合され、受け台６１、６２の底面に長形ローラ６３、６４が設けられ、長形ローラ６３、６４が筐状チューブ３４に当接する。二つのカンチレバー４０、５０の前記自由端にラグ４１、５１がそれぞれ設けられ、ラグ４１、５１には、貫通孔４１１、５１１と、連結具７０と、がそれぞれ設けられる。連結具７０が貫通孔４１１、５１１を連結し、これにより、受け台６１、６２が結合され、装置全体が揺動式健康機になり、なお、連結具７０を取外したと、装置全体が膝健康機になる。
【００１６】
筐状チューブ３４は、ベースフレーム１０の上面に直接に固定されるため、強度が増加する。筐状チューブ３４は鋼管でもよい。マスク状円盤３０は、ベースフレーム１０の上面の筐状チューブ３４以外の部分だけをカバーするため、素材を使用量を節約することができる。このような設計によれば、生産コストを減少することができる。
【００１７】
筐状チューブ３４にストッパー３４１、３４２が結合される。筐状チューブ３４にねじ穴が設けられ、ストッパー３４１、３４２にネジが設けられ、筐状チューブ３４にストッパー３４１、３４２を螺着してもよい。
【００１８】
部材１３に電子カウンター８０を固定することができる。
本考案の揺動式健康機により揺動運動をしたいときには、まず、部材１３のツマミ１３１を緩めて、ハンドル２１、２２を適当の長さに調整して、部材１３のツマミ１３１をしっかり締める。
【００１９】
次に、カンチレバー４０のラグ４１にある貫通孔４１１と、カンチレバー５０のラグ５１にある貫通孔５１１とに、連結具７０をそれぞれ挿入することにより、カンチレバー４０、５０と受け台６１、６２が同じ方向に旋回し、そうすると、図３に示すように、装置全体はユーザの腰部を捩じり可能な揺動式健康機になる。
【００２０】
本考案の揺動式健康機を膝健康機として利用したいときには、まず、部材１３のツマミ１３１を緩めて、ハンドル２１、２２を適当の長さに調整して、部材１３のツマミ１３１をしっかり締める。
【００２１】
次に、カンチレバー４０のラグ４１にある貫通孔４１１と、カンチレバー５０のラグ５１にある貫通孔５１１とから、連結具７０を取外すことにより、カンチレバー４０、５０と受け台６１、６２が分離し、カンチレバー４０、５０と受け台６１、６２が相違する方向に旋回可能になり、そうすると、図４に示すように、装置全体はユーザの膝部を鍛錬可能な膝健康機になる。
【産業上の利用可能性】
【００２２】
本考案は、健康機に適用することができる。
【符号の説明】
【００２３】
１：ベースフレーム
２：前揺動構造
３：後揺動構造
４：手摺枠
５：受け台
１０：ベースフレーム
１１：前脚
１２：後脚
１３：部材
２１：ハンドル
２２：ハンドル
３０：マスク状円盤
３１：保護マスク
３２：突出柱
３３：突出柱
３４：筐状チューブ
４０：カンチレバー
４１：ラグ
５０：カンチレバー
５１：ラグ
６１：受け台
６２：受け台
６３：長形ローラ
６４：長形ローラ
７０：連結具
８０：電子カウンター
１３１：ツマミ
３４１：ストッパー
３４２：ストッパー
４１１：貫通孔
５１１：貫通孔
【図１】
0003161917.tif 000003
【図２】
0003161917.tif 000004
【図３】
0003161917.tif 000005
【図４】
0003161917.tif 000006
【図５】
0003161917.tif 000007